(57)【特許請求の範囲】
【請求項１】
内視鏡の周辺機器が接続可能な内視鏡用の処理装置と、
前記処理装置に設けられ、前記周辺機器が接続される接続端子と、
前記接続端子に接続された前記周辺機器を識別する識別部と、
前記識別部により識別された前記周辺機器を前記処理装置に接続して使用する際に、前記周辺機器の設定の変更を可能とする前記周辺機器の設定項目に対して、推奨設定値に一括して設定可能とする制御部と、
を具備することを特徴とする内視鏡システム。
【請求項２】
前記制御部は、前記設定項目を前記推奨設定値に一括して設定するためのボタンを表示するための画像を生成し、前記ボタンの操作に応じて前記設定項目を一括して変更する
ことを特徴とする請求項１に記載の内視鏡システム。
【請求項３】
前記設定項目を表示するための画像を生成する画像信号生成部と、をさらに備える
ことを特徴とする請求項１に記載の内視鏡システム。
【請求項４】
前記画像信号生成部は、さらに、前記設定項目を前記推奨設定値に一括して設定するためのボタンを表示するための画像を生成する
ことを特徴とする請求項３に記載の内視鏡システム。
【請求項５】
前記制御部は、前記設定項目の全てに対して、前記推奨設定値に一括して設定可能とする
ことを特徴とする請求項１から４のいずれか１項に記載の内視鏡システム。
【請求項６】
前記推奨設定値は、予め定められた値である
ことを特徴とする請求項１から５のいずれか１項に記載の内視鏡システム。
【請求項７】
前記制御部は、前記識別部により識別された前記周辺機器を前記処理装置に接続して使用する際に、前記処理装置の設定の変更を可能とする前記処理装置の設定項目に対しても、推奨設定値に一括して設定可能とする
ことを特徴とする請求項１に記載の内視鏡システム。
【発明の詳細な説明】
【技術分野】
【０００１】
本発明は、内視鏡システムに関し、特に、周辺機器を接続可能なビデオプロセッサを有する内視鏡システムに関するものである。
【背景技術】
【０００２】
従来、内視鏡および当該内視鏡において撮像された撮像信号を処理するビデオプロセッサを備える内視鏡システムにおいて、種々の周辺機器、たとえばビデオプリンタまたは録画機器等の周辺機器を接続可能とするビデオプロセッサを有するシステムが知られている。
【０００３】
ここで、当該ビデオプロセッサに、上述の如き種々の周辺機器を接続する際には、接続するこれら周辺機器とビデオプロセッサとの組み合わせに応じて、使用者が当該ビデオプロセッサ上においてそれぞれの周辺機器に係る諸々の設定を変更する必要があった。
【０００４】
この設定を変更する際には、使用者は膨大な設定項目から対象となる設定項目を抽出して設定変更する必要があり、使用者にとって非常に使い勝手が悪かった。
【０００５】
一方、特開２００５−１４３５８２号公報（特許文献１）には、ビデオプロセッサに接続されるモニタ画面に、接続される周辺機器の機種名候補をリストアップして表示し、その表示された候補から使用する機器を選択し、選択された機種名に応じた所定の設定値を自動的に設定する内視鏡システムが示されている。
【先行技術文献】
【特許文献】
【０００６】
【特許文献１】特開２００５−１４３５８２号公報
【発明の概要】
【発明が解決しようとする課題】
【０００７】
前記特開２００５−１４３５８２号公報（特許文献１）に記載の内視鏡システムは、使用者がモニタ表示画面に表示された候補から使用する機器を選択するようになっているため、手間がかかっていた。
【０００８】
また、当該内視鏡システムにおいては、候補となる機種名を選択したならば当該機種名に応じた所定の「設定値」が自動的に設定されるようになっているが、この自動的に設定される「設定値」は製造者側の推奨値であって、使用者が所望して選んだものではなく、使用者にとって使い勝手の良いと感じる設定値とは必ずしも一致するとは限らなかった。
【０００９】
本発明は上述した事情に鑑みてなされたものであり、ビデオプロセッサに周辺機器が接続され、当該周辺機器に係る所定の設定をする際、使用者にとって使い勝手のよい内視鏡システムを提供することを目的とする。
【課題を解決するための手段】
【００１０】
本発明の一態様の内視鏡システムは、内視鏡の周辺機器が接続可能な内視鏡用の処理装置と、前記処理装置に設けられ、前記周辺機器が接続される接続端子と、前記接続端子に接続された前記周辺機器を識別する識別部と、前記識別部により識別された前記周辺機器を前記処理装置に接続して使用する際に、前記周辺機器の設定の変更を可能とする前記周辺機器の設定項目に対して、推奨設定値に一括して設定可能とする制御部と、を具備する。
【発明の効果】
【００１１】
本発明の内視鏡システムによれば、ビデオプロセッサに周辺機器が接続され、当該周辺機器に係る所定の設定をする際、使用者にとって使い勝手のよい内視鏡システムを提供することができる。
【図面の簡単な説明】
【００１２】
【図１】図１は、本発明の第１の実施形態の内視鏡システムの構成を示した図である。
【図２】図２は、第１の実施形態の内視鏡システムにおけるモニタの一表示例を示した図である。
【図３】図３は、第１の実施形態の内視鏡システムの作用を示したフローチャートである。
【図４】図４は、本発明の第２の実施形態の内視鏡システムにおけるモニタの一表示例を示した図である。
【図５】図５は、本発明の第３の実施形態の内視鏡システムにおけるモニタの一表示例を示した図である。
【図６】図６は、本発明の第４の実施形態の内視鏡システムにおけるモニタの一表示例を示した図である。
【図７】図７は、本発明の第５の実施形態の内視鏡システムの構成を示した図である。
【図８】図８は、本発明の第６の実施形態の内視鏡システムの構成を示した図である。
【図９】図９は、本発明の第７の実施形態の内視鏡システムの構成を示した図である。
【図１０】図１０は、本発明の第８の実施形態の内視鏡システムの構成を示した図である。
【図１１】図１１は、第８の実施形態の内視鏡システムにおけるタブレット型端末機器の構成を示した図である。
【発明を実施するための形態】
【００１３】
以下、図面を参照して本発明の実施形態を説明する。
【００１４】
（第１の実施形態）
図１を用いて第１の実施形態の内視鏡システムの構成について説明する。図１は、本発明の第１の実施形態の内視鏡システムの構成を示す図である。
【００１５】
図１に示すように本発明の第１の実施形態の内視鏡システム１は、撮像素子２５を有す内視鏡２と、内視鏡２が着脱自在に接続され、所定の信号処理を行うビデオプロセッサ３と、内視鏡２が着脱自在に接続され、内視鏡２に対して照明光を供給する光源装置４と、ビデオプロセッサ３により生成された画像信号を内視鏡画像として表示する表示装置としてのモニタ５と、を備える。
【００１６】
内視鏡２は、体腔内に挿入される細長の挿入部６と、この挿入部６の後端に設けられた操作部７と、この操作部７から延出されたユニバーサルコード８とを有する。ユニバーサルコード８は、その基端付近または途中でライトガイドコード９と、信号コード（信号ケーブル）１０に分岐する。
【００１７】
ライトガイドコード９の端部の光源用コネクタ１１は、光源装置４に着脱自在に接続され、信号コード１０の端部の信号用コネクタ１２は、ビデオプロセッサ３に着脱自在に接続される。
【００１８】
また、この信号用コネクタ１２には、内視鏡２ごとの個別の情報を記憶する記憶部であるＩＤメモリ２０が配設されている。
【００１９】
挿入部６、操作部７およびユニバーサルコード８内には照明光を伝送するライトガイド１３が挿通されている。そして、光源用コネクタ１１を光源装置４に接続することにより、光源装置４からの照明光をライトガイド１３により伝送し、挿入部６の先端部１４に設けられた照明窓に取り付けられたライトガイド先端面１３ａから、伝送した照明光を出射する。
【００２０】
先端部１４には照明窓に隣接して観察窓（撮像窓）が設けられ、観察窓には照明された患部等の被写体の光学像を入光する対物レンズ２１が配設されている。また、前記対物レンズ２１の後方には所定の対物光学系２３が配設され、この対物光学系２３を経て前記対物レンズ２１の結像位置には撮像素子２５が配設されている。
【００２１】
撮像素子２５は、たとえばＣＣＤイメージセンサにより構成され、挿入部６およびユニバーサルコード８内に挿通されたケーブルを経たのち信号用コネクタ１２を介してビデオプロセッサ３に接続される。
【００２２】
前記ビデオプロセッサ３は、各種回路の制御を行う制御部３１と、撮像素子等の動作に必要な複数の電源電圧の電源を発生する図示しない電源回路と、撮像素子から出力される撮像信号に対する所定の信号処理を行う信号処理回路（画像処理部３２および前処理部３３等）と、内視鏡２における前記撮像素子２５の駆動するＣＣＤ駆動回路３４と、前記画像処理部３２に接続され、当該画像処理部３２からの出力された画像信号と所定の画像とを合成してモニタ５に向けて出力する画像合成部３５と、制御部３１の制御下に当該ビデオプロセッサ３に接続される各種周辺機器に係る所定の情報を記憶する記憶部３６と、当該ビデオプロセッサ３に接続されるキーボード５５を制御するためのキーボード制御部３７と、当該ビデオプロセッサ３における各種操作を行うためのスイッチ等が配設されたフロントパネル３８と、を備える。
【００２３】
制御部３１は、上述したようにビデオプロセッサ３内における各種回路を制御するとともに、内視鏡２が当該ビデオプロセッサ３に接続された際、信号用コネクタ１２における前記ＩＤメモリ２０に記憶された当該内視鏡２個別の情報を入手するようになっている。
【００２４】
前処理部３３は、撮像素子２５からの撮像信号を入力して所定の前信号処理を施すものであり、公知の信号増幅部、プロセス回路、Ａ／Ｄコンバータ、ホワイトバランス回路等により構成され、制御部３１により制御される。
【００２５】
画像処理部３２は、制御部３１の制御下に、前処理部３３からの出力信号に対して所定の画像処理を施し、モニタ５に表示するための画像信号として出力するようになっている。
【００２６】
またビデオプロセッサ３は、制御部３１の制御下に、当該ビデオプロセッサ３に接続可能な所定の周辺機器５１〜５３の制御を行うとともに、接続されたこれら周辺機器のＩＤ情報（識別情報）を入手する周辺機器制御部４１、４２、４３と、制御部３１の制御下に、当該ビデオプロセッサ３に接続可能な所定のネットワーク機器５４の制御を行うとともに、接続された当該ネットワーク機器５４のＩＤ情報（識別情報）を入手するネットワーク制御部４４と、を備える。
【００２７】
なお、ビデオプロセッサ３は、前記周辺機器５１〜５３を接続するための接続端子４１ａ、４２ａ、４３ａを備えており、これら接続端子４１ａ、４２ａ、４３ａはそれぞれ前記周辺機器制御部４１、４２、４３の入出力端子として機能するようになっている。
【００２８】
同様に、ビデオプロセッサ３は、前記ネットワーク機器５４を接続するための接続端子４４ａを備えており、この接続端子４４ａは前記ネットワーク制御部４４の入出力端子として機能するようになっている。
【００２９】
ここで本実施形態においては、周辺機器５１〜５３としては、例えば、周辺機器５１はＶＴＲ（Video Tape Recorder）、周辺機器５２はプリンタ、周辺機器５３は磁気カードリーダをそれぞれ想定する。
【００３０】
なお、上述したように本実施形態においては周辺機器として上記３種類を想定したが、周辺機器としてはこれに限らず、ビデオプロセッサ３に接続され得るその他の機器であってもよい。さらに、本実施形態においては、周辺機器制御部および接続端子は３つ設けるとしたが、これに限らず、いずれも１以上複数個を設けるものであってよい。
【００３１】
図１に戻って記憶部３６は、ビデオプロセッサ３における前記接続端子４１ａ、４２ａ、４３ａに接続され得る複数の周辺機器の種別情報を格納するとともに、当該周辺機器を使用する際に必要な各種設定項目であって初期状態の設定項目に係る情報を当該周辺機器毎に格納している。
【００３２】
そして、記憶部３６に格納されている前記情報は、制御部３１によって読みだされるようになっている。
【００３３】
また、画像合成部３５は、制御部３１の制御下に、前記周辺機器を使用する際に必要な各種設定項目の一覧に係る画像（以下、設定項目画像と記す）を生成する機能を有するとともに、当該画像処理部３２からの出力された画像信号と前記設定項目画像とを合成した画像信号を、または、当該設定項目画像単独の画像信号をモニタ５に向けて出力するようになっている。
【００３４】
＜周辺機器の判別＞
ここで、前記制御部３１は、ビデオプロセッサ３における前記接続端子４１ａ、４２ａ、４３ａのいずれかに任意の周辺機器が接続されると、対応する前記周辺機器制御部４１、４２、４３を制御して、接続された当該周辺機器のＩＤ情報（識別情報）を入手する。
【００３５】
そして制御部３１は、前記周辺機器制御部４１、４２、４３が当該周辺機器におけるＩＤ情報を入手するとその情報を受け取り、前記記憶部３６に予め格納されているテーブル情報等を参照して、当該周辺機器の種別を自動的に判別するようになっている。
【００３６】
＜周辺機器に係る設定項目の掲示および変更設定＞
図２は、本実施形態の内視鏡システムにおいて、上述した周辺機器を使用する際に必要な各種設定項目の一表示例を示した図である。
【００３７】
前記制御部３１は、ビデオプロセッサ３に接続された当該周辺機器の種別を自動的に判別すると、次に、種別を判別した当該周辺機器に対応した各種設定項目の一覧（すなわち、当該周辺機器を使用する際に必要な初期状態における各種設定項目の一覧）を記憶部３６から読み出す。
【００３８】
そして、制御部３１は、記憶部３６から読みだした前記「初期状態における設定項目の一覧」をモニタ５に掲示するため、画像合成部３５を制御して前記設定項目画像を生成させるよう指示する。
【００３９】
さらに画像合成部３５は、生成した設定項目画像を前記画像処理部３２からの出力された画像信号と合成して、または、当該画像信号に代えて出力するようになっている。これにより、図２に示すように本実施形態においては制御部３１の制御下に、モニタ５において当該「初期状態における設定項目の一覧に係る画像」を掲示して使用者に報知することとなる。
【００４０】
具体的には、本実施形態においては、ビデオプロセッサ３に接続された周辺機器が、例えばプリンタＡという種別の機器である場合、各種設定項目の一覧としては図２に示すように、当該プリンタＡ使用時に必要な設定項目の一覧がモニタ５に表示されるようになっている。
【００４１】
一方で本実施形態においては、モニタ５の表示画面には、前記「初期状態における設定項目の一覧」と共に、“確定”ボタン６１が表示されるようになっている。
【００４２】
そして使用者は、モニタ５に掲示された前記「初期状態における設定項目の一覧」を参照して、当該プリンタＡにおいて必要な設定が了承できる状態であるならばモニタ５に併せて表示されている“確定”ボタン６１を操作することによりその状態を確定することができる。
【００４３】
この確定操作を受けて制御部３１は、周辺機器制御部４２（今、周辺機器５２であるプリンタＡが接続端子４２ａに接続されたとする）を介してプリンタＡに対して当該設定項目の情報を通知する。
【００４４】
これにより、周辺機器５２であるプリンタＡは、記憶部３６に格納された予め記憶された前記「初期状態における設定項目」に基づいて所定の設定がなされることとなる。
【００４５】
一方で、使用者が、モニタ５に掲示された前記「初期状態における設定項目」を参照して、当該プリンタＡにおいて必要な設定を変更したいと欲する場合、本実施形態においては、前記キーボード５５またはフロントパネル３８に設けた操作手段により、当該プリンタＡに係る設定を任意に変更することができる。
【００４６】
そして、当該プリンタＡに係る設定を変更した後、上記同様に “確定”ボタン６１を操作することによりその状態を確定することができる。
【００４７】
この変更後の確定操作を受けて制御部３１は、周辺機器制御部４２を介してプリンタＡに対して当該設定項目が変更された旨の情報を通知し、これにより、周辺機器５２であるプリンタＡは、上記変更された設定項目に基づいて所定の設定がなされることとなる。
【００４８】
＜第１の実施形態の作用＞
次に、本第１の実施形態の作用について説明する。
【００４９】
図３は、当該各種設定項目を表示する際の作用を示したフローチャートである。
【００５０】
図３に示すように、今、周辺機器５２が前記接続端子４１ａ、４２ａ、４３ａのうちの１つである、たとえば接続端子４２ａを介してビデオプロセッサ３に接続されたとする（ステップＳ１）。
【００５１】
ここで周辺機器５２が接続端子４２ａに接続されると、周辺機器制御部４２が制御部３１の制御下に、接続された当該周辺機器５２のＩＤ情報を入手する（ステップＳ２）。
【００５２】
次に、前記周辺機器制御部４２が当該周辺機器５２におけるＩＤ情報を入手すると制御部３１はその情報を受け取り（ステップＳ３）、記憶部３６に格納された予め記憶されているテーブル情報に照らし合わせて、当該周辺機器５２の種別を自動的に判別する（ステップＳ４）。
【００５３】
このステップＳ４において、制御部３１が、接続端子４２ａに接続された周辺機器５２の種別が、例えばプリンタＡであると判別すると、制御部３１は当該プリンタＡに対応した前記「初期状態における設定項目の一覧」を記憶部３６から読み出す（ステップＳ５）。
【００５４】
そして、制御部３１は、記憶部３６から読みだした前記「初期状態における設定項目の一覧」をモニタ５に掲示するため、画像合成部３５を制御して、図２に示す如き、プリンタＡを使用する際に必要な各種設定項目の一覧に係る画像を生成させる（ステップＳ６）。
【００５５】
前記画像合成部３５は、上記各種設定項目の一覧に係る画像を生成すると、前記画像処理部３２からの出力された画像信号に代えて当該各種設定項目の一覧に係る画像信号をモニタ５に向けて出力し、モニタ５は図２に示すように、制御部３１の制御下にプリンタＡに係る前記「初期状態における設定項目の一覧」を表示する（ステップＳ７）。
【００５６】
この後制御部３１は、使用者によるモニタ５に表示された確定ボタン６１のオン操作、および、使用者によるキーボード５５もしくはフロントパネル３８における所定の操作の有無を監視する（ステップＳ８）。
【００５７】
このステップＳ８において、使用者によるモニタ５に表示された確定ボタン６１がオン操作されると、制御部３１は、現在掲示されている「初期状態における設定項目」を確定し（ステップＳ９）、周辺機器制御部４２を介してプリンタＡに対して当該設定項目の情報を通知する（ステップＳ１０）。
【００５８】
これにより、周辺機器５２であるプリンタＡは、上記設定項目に基づいて所定の設定がなされる（ステップＳ１１）。
【００５９】
一方、使用者によるキーボード５５もしくはフロントパネル３８における所定の操作手段の操作により、使用者が、モニタ５に掲示された当該プリンタＡにおいて必要な設定が変更されると、制御部３１は、モニタ５に変更後の設定を表示するよう、画像合成部３５を制御して、設定項目の一覧に係る新たな画像を生成させる（ステップＳ１２）。
【００６０】
前記画像合成部３５は、上記各種設定項目の一覧に係る新たな画像を生成すると、それまで掲示した設定項目に係る画像信号に代えて新たな画像信号をモニタ５に向けて出力し（ステップＳ１３）、モニタ５はプリンタＡに係る「新たな設定項目」を掲示する（ステップＳ１４）。
【００６１】
このステップＳ１４においてプリンタＡに係る「新たな設定項目」が掲示された後、使用者によるモニタ５に表示された確定ボタン６１がオン操作されると、制御部３１は、現在掲示されている「新たな設定項目」を確定し（ステップＳ１５）、周辺機器制御部４２を介してプリンタＡに対して当該「新たな設定項目」の情報を通知する（ステップＳ１６）。
【００６２】
これにより、周辺機器５２であるプリンタＡは、制御部３１の制御下に、変更された「新たな設定項目」に基づいて所定の設定がなされる（ステップＳ１７）。
【００６３】
以上説明したように、本第１の実施形態の内視鏡システムによると、ビデオプロセッサに接続された周辺機器を識別して当該機器の種別を自動的に判別するとともに、判別結果に応じて当該接続された周辺機器に必要な各種設定項目の一覧をモニタに掲示して使用者の便に供するようにしたので、使用者にとって使い勝手のよいビデオプロセッサを有する内視鏡システムを提供することができる。
【００６４】
また、本第１の実施形態によると、判別結果に応じて当該接続された周辺機器に必要な各種設定項目の一覧をモニタに掲示した後、当該各種設定項目を任意に変更し、この変更した設定にて当該周辺機器を制御することができるという効果を奏する。
【００６５】
（第２の実施形態）
次に、本発明の第２の実施形態について説明する。
【００６６】
上述したように上記第１の実施形態の内視鏡システムは、ビデオプロセッサ３に接続された周辺機器を判別した後、当該周辺機器に係る各種設定項目の一覧のみを掲示し、また、設定項目の変更も当該周辺機器のみを可能とした。
【００６７】
これに対して本第２の実施形態は、上記の場合、当該周辺機器に係る設定項目のみならず、接続されたビデオプロセッサ３自体の設定項目についても一覧として表示され、なおかつ、ビデオプロセッサ３自体の設定について変更可能としたことを特徴とする。
【００６８】
図４は、本発明の第２の実施形態の内視鏡システムにおける、設定項目の一覧の一表示例を示したものである。なお、本第２の実施形態の内視鏡システム１は、その基本的な構成は第１の実施形態と同様であるので、ここでの詳しい説明は省略する。
【００６９】
図４に示すように、本第２の実施形態においては、ビデオプロセッサ３に接続された周辺機器が、例えばプリンタＡという種別の機器である場合、各種設定項目の一覧としては当該プリンタＡに係る設定項目のみならず、接続されたビデオプロセッサ３自体の設定項目についても一覧として掲示されるようになっている。
【００７０】
そして、本第２の実施形態において制御部３１は、上記同様に、例えば周辺機器５２としてプリンタＡが接続端子４２ａに接続され、かつ、当該周辺機器５２の種別が判別された後、図４に示す如く、ビデオプロセッサ３およびプリンタＡを使用する際に必要な初期状態の各種設定項目の一覧を掲示するよう、画像合成部３５およびモニタ５等を制御する。
【００７１】
そして、使用者が、モニタ５に掲示されたこれらビデオプロセッサ３およびプリンタＡに係る「初期状態における設定項目」を参照して、当該プリンタＡまたはビデオプロセッサ３において必要な設定を変更したいと欲する場合、第１の実施形態と同様に、前記キーボード５５またはフロントパネル３８に設けた操作手段により、当該プリンタＡまたはビデオプロセッサ３に係る設定を任意に変更することができる。
【００７２】
そして、当該プリンタＡまたはビデオプロセッサ３に係る設定を変更した後、上記同様に “確定”ボタン６１を操作することによりその状態を確定することができる。
【００７３】
本第２の実施形態においても第１の実施形態と同様に、この変更後の確定操作を受けて制御部３１は、周辺機器制御部４２を介してプリンタＡに対して当該設定項目が変更された旨の情報を通知し、これにより、周辺機器５２であるプリンタＡは、上記変更された設定項目に基づいて所定の設定がなされる一方で、ビデオプロセッサ３自らの設定についても変更し、この変更設定に基づいて対応する制御を行うこととなる。
【００７４】
なお、その他の構成、作用については第１の実施形態と同様であるので、ここでの説明は省略する。
【００７５】
以上説明したように、本第２の実施形態の内視鏡システムによっても、第１の実施形態と同様に、ビデオプロセッサに接続された周辺機器を識別して当該機器の種別を自動的に判別するとともに、判別結果に応じて当該接続された周辺機器およびビデオプロセッサに必要な各種設定項目の一覧をモニタに掲示して使用者の便に供するようにしたので、使用者にとって使い勝手のよいビデオプロセッサを有する内視鏡システムを提供することができる。
【００７６】
また、本第２の実施形態によると、判別結果に応じて当該接続された周辺機器およびビデオプロセッサに必要な各種設定項目の一覧をモニタに掲示した後、当該各種設定項目を任意に変更し、この変更した設定にて当該周辺機器およびビデオプロセッサ自らを制御することができるという効果を奏する。
【００７７】
（第３の実施形態）
次に、本発明の第３の実施形態について説明する。
【００７８】
上述したように上記第２の実施形態の内視鏡システムは、ビデオプロセッサ３に接続された周辺機器を判別した後、当該周辺機器およびビデオプロセッサ３に係る初期状態の各種設定項目の一覧を掲示し、その後、使用者がこれら設定項目の変更を任意に変更できるものとした。
【００７９】
これに対して本第３の実施形態は、周辺機器およびビデオプロセッサに係る各種設定項目の一覧を、予め定められた複数の推奨設定値のいずれかに一括して変更可能とすることを特徴とする。
【００８０】
図５は、本発明の第３の実施形態の内視鏡システムにおける、設定項目の一覧の一表示例を示したものである。なお、本第３の実施形態の内視鏡システム１は、その基本的な構成は第１の実施形態と同様であるので、ここでの詳しい説明は省略する。
【００８１】
図５に示すように、本第３の実施形態においては、第２の実施形態と同様に、ビデオプロセッサ３に接続された周辺機器が、例えばプリンタＡという種別の機器である場合、各種設定項目の一覧としては当該プリンタＡに係る設定項目のみならず、接続されたビデオプロセッサ３自体の設定項目についても一覧として掲示されるようになっている。
【００８２】
さらに第３の実施形態においては、モニタ５の表示画面に、周辺機器およびビデオプロセッサ等の各種設定項目の一覧を、予め定められた複数の推奨設定値のいずれかに一括して変更可能とする“一括推奨設定変更”ボタン６２が設けられている。
【００８３】
そして、本第３の実施形態において制御部３１は、まず上記同様に、例えば周辺機器５２としてプリンタＡが接続端子４２ａに接続され、かつ、当該周辺機器５２の種別が判別された後、図５に示す如く、ビデオプロセッサ３およびプリンタＡを使用する際に必要な初期状態の各種設定項目の一覧を掲示するよう、画像合成部３５およびモニタ５等を制御する。
【００８４】
そして、使用者が、モニタ５に掲示されたこれらビデオプロセッサ３およびプリンタＡに係る「初期状態における設定項目」を、予め定められた複数の推奨設定値のいずれかに一括して変更したいと欲する場合、前記“一括推奨設定変更”ボタン６２を適宜操作することで、各種設定項目が前記推奨設定値に一括して変更して表示されるようになっている。
【００８５】
そして、前記一括推奨設定変更”ボタン６２の操作により、ビデオプロセッサ３およびプリンタＡに係る設定項目を一括して変更した後、上記同様に “確定”ボタン６１を操作することによりその状態を確定することができる。
【００８６】
本第３の実施形態においても第２の実施形態と同様に、この変更後の確定操作を受けて制御部３１は、周辺機器制御部４２を介してプリンタＡに対して当該設定項目が変更された旨の情報を通知し、これにより、周辺機器５２であるプリンタＡは、上記変更された設定項目に基づいて所定の設定がなされる一方で、ビデオプロセッサ３自らの設定についても変更し、この変更設定に基づいて対応する制御を行うこととなる。
【００８７】
なお、その他の構成、作用については第１および第２の実施形態と同様であるので、ここでの説明は省略する。
【００８８】
以上説明したように、本第３の実施形態の内視鏡システムによっても、第１および第２の実施形態と同様に、ビデオプロセッサに接続された周辺機器を識別して当該機器の種別を自動的に判別するとともに、判別結果に応じて当該接続された周辺機器およびビデオプロセッサに必要な各種設定項目の一覧をモニタに掲示して使用者の便に供するようにしたので、使用者にとって使い勝手のよいビデオプロセッサを有する内視鏡システムを提供することができる。
【００８９】
また、本第３の実施形態によると、判別結果に応じて当該接続された周辺機器およびビデオプロセッサに必要な各種設定項目の一覧をモニタに掲示した後、当該各種設定項目を推奨設定値に一括して変更し、この一括変更した設定にて当該周辺機器およびビデオプロセッサ自らを制御することができるという効果を奏する。
【００９０】
（第４の実施形態）
次に、本発明の第４の実施形態について説明する。
【００９１】
上述したように上記第２の実施形態の内視鏡システムは、ビデオプロセッサ３に接続された周辺機器を判別した後、当該判別された周辺機器およびビデオプロセッサ３に係る各種設定項目の一覧を掲示し、かつ、ビデオプロセッサ３の他は当該接続され判別された周辺機器に係る各種設定項目設定項目のみを変更可能とした。
【００９２】
これに対して本第４の実施形態は、上記の場合、ビデオプロセッサ３にすでに接続された周辺機器（第１の周辺機器）が存在する場合、ビデオプロセッサ３に新たに他の周辺機器（第２の周辺機器）が接続された場合、すでに掲示されたビデオプロセッサ３および第１の周辺機器に係る設定項目の一覧に加えて第２の周辺機器に係る初期状態の設定項目を一覧として掲示し、かつ、これらビデオプロセッサ３、第１の周辺機器および第２の周辺機器すべての設定について変更可能としたことを特徴とする。
【００９３】
図６は、本発明の第４の実施形態の内視鏡システムにおける、設定項目の一覧の一表示例を示したものである。なお、本第４の実施形態の内視鏡システム１は、その基本的な構成は第１の実施形態と同様であるので、ここでの詳しい説明は省略する。
【００９４】
図６に示すように、本第４の実施形態においては、ビデオプロセッサ３にすでに第１の周辺機器としてプリンタＡが接続された状態で、新たに第２の周辺機器として磁気カードＢが接続された場合、各種設定項目の一覧としては、すでに掲示されているビデオプロセッサ３および当該プリンタＡに係る設定項目に加えて磁気カードＢに係る初期状態の設定項目についても一覧として掲示されるようになっている。
【００９５】
そして、使用者は、モニタ５に掲示されたこれらビデオプロセッサ３およびプリンタＡに係る設定項目に加え、新たに掲示された磁気カードＢに係る初期状態の設定項目についても、上記同様の手段により任意に変更することができる。
【００９６】
本第４の実施形態においても第１の実施形態と同様に、この変更後の確定操作を受けて制御部３１は、周辺機器制御部４２、４３を介してプリンタＡおよび磁気カードＢに対して当該設定項目が変更された旨の情報を通知し、これにより、プリンタＡおよび磁気カードＢは、上記変更された設定項目に基づいて所定の設定がなされる一方で、ビデオプロセッサ３自らの設定についても変更し、この変更設定に基づいて対応する制御を行うこととなる。
【００９７】
なお、その他の構成、作用については第１の実施形態と同様であるので、ここでの説明は省略する。
【００９８】
以上説明したように、本第４の実施形態の内視鏡システムによっても、第１の実施形態と同様に、ビデオプロセッサに接続された周辺機器を識別して当該機器の種別を自動的に判別するとともに、判別結果に応じて当該接続された周辺機器およびビデオプロセッサに必要な各種設定項目の一覧をモニタに掲示して使用者の便に供するようにしたので、使用者にとって使い勝手のよいビデオプロセッサを有する内視鏡システムを提供することができる。
【００９９】
また、本第４の実施形態によると、ビデオプロセッサにある周辺機器が接続され、すでにこれら周辺機器等の各種設定項目の一覧が掲示されている状態で、ビデオプロセッサに新たに他の周辺機器が接続された場合であっても、接続されたすべての周辺機器に係る各種設定項目を任意に変更し、この変更した設定にて当該新旧周辺機器およびビデオプロセッサを制御することができるという効果を奏する。
【０１００】
（第５の実施形態）
次に、本発明の第５の実施形態について説明する。
【０１０１】
上述したように上記第１の実施形態の内視鏡システムは、ビデオプロセッサ３に設けた記憶部３６に格納した予め記憶されたテーブル情報等に基づいて、ビデオプロセッサ３に接続された周辺機器の種別を判別し、かつ、判別された機種ごとの「初期状態における設定項目の一覧」を選定するものとした。
【０１０２】
これに対して本第５の実施形態は、ビデオプロセッサ３に接続された周辺機器のＩＤ情報に一致する情報が前記記憶部３６に存在しない、または、当該記憶部３６が設けられていない場合、接続された周辺機器自体から前記所定の設定情報等を入手することを特徴とする。
【０１０３】
図７は、本発明の第５の実施形態の内視鏡システムの構成を示した図である。
【０１０４】
図７に示すように、本第５の実施形態の内視鏡システム１０１は、第１の実施形態と同様の内視鏡２、ビデオプロセッサ３、光源部４およびモニタ５等を備えるが、ビデオプロセッサ３に接続される周辺機器１５１、１５２、１５３は、いずれも内部に自らの設定項目に係る情報を有しているものとする。
【０１０５】
具体的に前記周辺機器１５１、１５２、１５３は、図７に示すように、それぞれ、内部に自らの設定項目、すなわち当該周辺機器を使用する際に必要な設定項目に係る情報を記憶した記憶部１５１ａ、１５２ａ、１５３ａを搭載する。
【０１０６】
そして、いま、ビデオプロセッサ３に前記周辺機器１５１が接続されたものとすると、本第５の実施形態において制御部３１は、ビデオプロセッサ３に接続された当該周辺機器１５１のＩＤ情報（識別情報）を取得して、まずは、ビデオプロセッサ３における記憶部３６に格納したテーブル情報に照らし合わせて、当該接続された周辺機器１５１の種別の判別を試みる。
【０１０７】
ここで、接続された周辺機器１５１のＩＤ情報（識別情報）と一致する情報が前記記憶部３６に格納されている場合は、上記第１、第２の実施形態と同様の手法にて、周辺機器１５１の種別を判別し、当該周辺機器１５１の各種設定項目、またはデオプロセッサ３を加えての各種設定項目の一覧を掲示し、その後、使用者がこれら設定項目の変更を任意に変更できるものとする。
【０１０８】
一方、接続された周辺機器１５１のＩＤ情報（識別情報）と一致する情報が前記記憶部３６に格納されていない場合、制御部３１は次に、接続された当の周辺機器１５１における記憶部１５１ａに記憶された当該周辺機器１５１に係る設定項目に係る情報を取得する。
【０１０９】
そして制御部３１は、前記周辺機器１５１取得した情報に基づいて、当該周辺機器１５１の種別を認識し、当該周辺機器１５１の各種設定項目、またはデオプロセッサ３を加えての各種設定項目の一覧を掲示し、その後、使用者がこれら設定項目の変更を任意に変更できるものとする。
【０１１０】
なお、その他の構成、作用については第１、第２の実施形態と同様であるので、ここでの説明は省略する。
【０１１１】
以上説明したように、本第５の実施形態の内視鏡システムによっても、第１の実施形態と同様に、ビデオプロセッサに接続された周辺機器の種別を自動的に判別または認識するとともに、判別または認識結果に応じて当該接続された周辺機器およびビデオプロセッサに必要な各種設定項目の一覧をモニタに掲示して使用者の便に供するようにしたので、使用者にとって使い勝手のよいビデオプロセッサを有する内視鏡システムを提供することができる。
【０１１２】
また、本第５の実施形態によると、周辺機器自体にみずからの設定項目に係る情報を有する場合、ビデオプロセッサ３における記憶部３６に当該周辺機器に係る情報が格納されていない場合でも、または、当該記憶部３６が存在しない場合でも、接続された当該周辺機器に必要な各種設定項目の一覧をモニタに掲示し、当該各種設定項目を任意に変更し、この変更した設定にて当該周辺機器を制御することができるという効果を奏する。
【０１１３】
（第６の実施形態）
次に、本発明の第６の実施形態について説明する。
【０１１４】
上述したように上記第１の実施形態の内視鏡システムは、制御部３１の制御下に画像合成部３５において生成した設定項目画像をモニタ５に表示するものとしたが、本第６の実施形態は、当該設定項目画像を、フロントパネル３８に配設された表示部にも表示することを特徴とする。
【０１１５】
図８は、本発明の第６の実施形態の内視鏡システムの構成を示した図である。
【０１１６】
図８に示すように、本第６の実施形態の内視鏡システム２０１におけるビデオプロセッサ２０３は、装置本体の前面に配設されたフロントパネル３８に所定の情報を表示する表示部３８ａを設けたことを特徴とする。
【０１１７】
前記表示部３８ａは、いわゆるタッチパネルにより構成された操作パネルであって、ビデオプロセッサ３に接続された被制御機器のパラメータ等の設定または変更を行うことが可能となっている。
【０１１８】
本第６の実施形態は、このタッチパネル機能を有する表示部３８ａに、上記第１〜第５実施形態においてはモニタ５に掲示される、周辺機器を使用する際に必要な各種設定項目の一覧を表示するように構成されている。
【０１１９】
また、表示部３８ａは、タッチパネル機能を有するため、たとえば、第１〜第５の実施形態における前記確定ボタン６１または一括推奨設定変更ボタン６２に係る操作を、当該表示部３８ａ上のタッチ操作で行うことができる。
【０１２０】
その他の構成、作用については第１、第２の実施形態と同様であるので、ここでの説明は省略する。
【０１２１】
以上説明したように、本第６の実施形態の内視鏡システムによっても、第１の実施形態と同様に、ビデオプロセッサに接続された周辺機器の種別を自動的に判別するとともに、判別結果に応じて当該接続された周辺機器に必要な各種設定項目の一覧をモニタに掲示して使用者の便に供するようにしたので、使用者にとって使い勝手のよいビデオプロセッサを有する内視鏡システムを提供することができる。
【０１２２】
また、本第６の実施形態によると、上記各種設定項目の一覧を掲示する表示部３８ａがタッチパネル機能を有することから、第１〜第５の実施形態においてはキーボード５５等における外部ポインティングデバイスにより操作していた、設定項目の変更操作および前記確定ボタン６１もしくは前記一括推奨設定変更ボタン６２に係る操作を、当該表示部３８ａ上のタッチ操作で実施することができるという効果を奏する。
【０１２３】
（第７の実施形態）
次に、本発明の第７の実施形態について説明する。
【０１２４】
上述したように上記第１の実施形態の内視鏡システムは、制御部３１の制御下に画像合成部３５において生成した設定項目画像をモニタ５に表示するものとしたが、本第７の実施形態は、当該設定項目画像を、キーボード５５に配設された表示部にも表示することを特徴とする。
【０１２５】
図９は、本発明の第７の実施形態の内視鏡システムの構成を示した図である。
【０１２６】
図９に示すように、本第７の実施形態の内視鏡システム３０１におけるビデオプロセッサ３０３は、ビデオプロセッサ３０３に接続されたキーボード５５本体に所定の情報を表示する表示部５５ａを設けたことを特徴とする。
【０１２７】
前記表示部５５ａは、第６の実施形態と同様に、いわゆるタッチパネルにより構成された操作パネルであって、ビデオプロセッサ３０３に接続された被制御機器のパラメータ等の設定または変更を行うことが可能となっている。
【０１２８】
本第７の実施形態は、このタッチパネル機能を有する表示部５５ａに、上記第１〜第５実施形態においてはモニタ５に掲示される、周辺機器を使用する際に必要な各種設定項目の一覧を表示するように構成されている。
【０１２９】
本第７の実施形態においても、表示部５５ａは、タッチパネル機能を有するため、たとえば、第６の実施形態と同様に、第１〜第５の実施形態における前記確定ボタン６１または前記一括推奨設定変更ボタン６２に係る操作を、当該表示部５５ａ上のタッチ操作で行うことができる。
【０１３０】
その他の構成、作用については第１、第２の実施形態と同様であるので、ここでの説明は省略する。
【０１３１】
以上説明したように、本第７の実施形態の内視鏡システムによっても、第１の実施形態と同様に、ビデオプロセッサに接続された周辺機器の種別を自動的に判別するとともに、判別結果に応じて当該接続された周辺機器に必要な各種設定項目の一覧をモニタに掲示して使用者の便に供するようにしたので、使用者にとって使い勝手のよいビデオプロセッサを有する内視鏡システムを提供することができる。
【０１３２】
また、本第７の実施形態によると、上記各種設定項目の一覧を掲示する表示部５５ａがタッチパネル機能を有することから、第６の実施形態と同様により使い勝手の良い操作を実現することができる。
【０１３３】
（第８の実施形態）
次に、本発明の第８の実施形態について説明する。
【０１３４】
上述したように上記第１の実施形態の内視鏡システムは、制御部３１の制御下に画像合成部３５において生成した設定項目画像をモニタ５に表示するものとした。これに対して本第８の実施形態の内視鏡システムは、当該内視鏡システムと通信可能なタブレット型端末機器において、前記設定項目画像に係る画像信号を生成するとともに、当該タブレット型端末機器において当該設定項目画像を表示することを特徴とする。
【０１３５】
図１０は、本発明の第８の実施形態の内視鏡システムの構成を示した図であり、図１１は、第８の実施形態の内視鏡システムにおけるタブレット型端末機器の構成を示した図である。
【０１３６】
図１０に示すように、本第８の実施形態の内視鏡システム４０１におけるビデオプロセッサ４０３は、第１の実施形態におけるビデオプロセッサ３に対して、新たに、所定のタブレット型端末機器５６と無線による通信処理を行う無線通信部３９を備えることを特徴とする。
【０１３７】
タブレット型端末機器５６は、ビデオプロセッサ４０３とは別体の、いわゆるタブレット型端末機能を備えており、図１１に示すように、タブレット型端末機器５６における各種回路の制御を司る制御部７１と、制御部７１の制御下に前記ビデオプロセッサ４０３との無線による通信を司る無線通信部７２と、いわゆるタッチパネルにより構成された操作パネル７３と、制御部７１の制御下に、前記設定項目画像に係る画像信号を生成する映像信号生成部７４と、を主に備える。
【０１３８】
図１０に戻って、本第８の実施形態においても、ビデオプロセッサ４０３における記憶部３６は、ビデオプロセッサ４０３における前記接続端子４１ａ、４２ａ、４３ａに接続され得る複数の周辺機器の種別情報を格納するとともに、当該周辺機器を使用する際に必要な各種設定項目であって初期状態の設定項目に係る情報を当該周辺機器毎に格納している。
【０１３９】
そして、本第８の実施形態においては、記憶部３６に格納されている前記情報は、ビデオプロセッサ４０３における制御部３１によって読みだされたのち、制御部３１の制御下に無線通信部３９からタブレット型端末機器５６における無線通信部７２に向けて伝送されるようになっている。
【０１４０】
一方、タブレット型端末機器５６における映像信号生成部７４は、無線通信部７２を介してビデオプロセッサ４０３側から前記記憶部３６に格納されている前記情報を受け取った際には、制御部７１の制御下に、前記周辺機器を使用する際に必要な各種設定項目の一覧に係る画像（設定項目画像）に係る画像信号を生成する機能を有するとともに、当該画像信号を操作パネル７３に向けて出力するようになっている。
【０１４１】
＜第８の実施形態における周辺機器に係る設定項目の掲示および変更設定＞
ビデオプロセッサ４０３における制御部３１が、当該ビデオプロセッサ４０３に接続された当該周辺機器の種別を自動的に判別すると、次に、種別を判別した当該周辺機器に対応した各種設定項目の一覧（すなわち、当該周辺機器を使用する際に必要な初期状態における各種設定項目の一覧）を記憶部３６から読み出す。
【０１４２】
そして制御部３１は、無線通信部３９を制御して記憶部３６から読みだした前記「初期状態における設定項目の一覧」に係る情報をタブレット型端末機器５６における無線通信部７２に向けて伝送する。
【０１４３】
タブレット型端末機器５６における映像信号生成部７４は、無線通信部７２を介して受け取った前記設定項目の一覧に係る情報に基づいて、設定項目画像に係る画像信号を生成して操作パネル７３に向けて出力する。
【０１４４】
具体的には、本第８の実施形態においては、ビデオプロセッサ４０３に接続された周辺機器が、例えばプリンタＡという種別の機器である場合、各種設定項目の一覧として図２に示すように、当該プリンタＡ使用時に必要な設定項目の一覧がタッチパネルである操作パネル７３に表示されるようになっている。
【０１４５】
一方で本第８の実施形態においては、操作パネル７３の表示画面には、前記「初期状態における設定項目の一覧」と共に、第１の実施形態と同様の“確定”ボタンが表示されるようになっている。
【０１４６】
そして使用者は、操作パネル７３に掲示された前記「初期状態における設定項目の一覧」を参照して、当該プリンタＡにおいて必要な設定が了承できる状態であるならば操作パネル７３に併せて表示されている“確定”ボタンを操作することにより、第１の実施形態と同様に、その状態を確定することができる。
【０１４７】
この確定操作を受けてタブレット型端末機器５６における制御部７１は、無線通信部７２を介して当該確定操作に係る情報をビデオプロセッサ４０３側に向けて伝送し、当該確定操作に係る情報を受けたビデオプロセッサ４０３側の制御部３１は、周辺機器制御部４２（今、周辺機器５２であるプリンタＡが接続端子４２ａに接続されたとする）を介してプリンタＡに対して当該設定項目の情報を通知する。
【０１４８】
これにより、周辺機器５２であるプリンタＡは、第１の実施形態と同様に、記憶部３６に格納された予め記憶された前記「初期状態における設定項目」に基づいて所定の設定がなされることとなる。
【０１４９】
一方で、使用者が、操作パネル７３に掲示された前記「初期状態における設定項目」を参照して、当該プリンタＡにおいて必要な設定を変更したいと欲する場合、本第８の実施形態においては、当該操作パネル７３に設けた操作手段により、当該プリンタＡに係る設定を任意に変更することができる。
【０１５０】
そして、当該プリンタＡに係る設定を変更した後、上記同様に “確定”ボタンを操作することによりその状態を確定することができる。
【０１５１】
この変更後の確定操作を受けてタブレット型端末機器５６における制御部７１は上記同様に、無線通信部７２を介して当該確定操作に係る情報をビデオプロセッサ４０３側に向けて伝送し、当該確定操作に係る情報を受けたビデオプロセッサ４０３側の制御部３１は、周辺機器制御部４２を介してプリンタＡに対して当該設定項目が変更された旨の情報を通知し、これにより、周辺機器５２であるプリンタＡは、上記変更された設定項目に基づいて所定の設定がなされることとなる。
【０１５２】
以上説明したように、本第８の実施形態の内視鏡システムによると、第１の実施形態と同様に、ビデオプロセッサに接続された周辺機器を識別して当該機器の種別を自動的に判別するとともに、判別結果に応じて当該接続された周辺機器に必要な各種設定項目の一覧をモニタに掲示して使用者の便に供するようにしたので、使用者にとって使い勝手のよいビデオプロセッサを有する内視鏡システムを提供することができる。
【０１５３】
また、本第８の実施形態においても、第１の実施形態と同様に、判別結果に応じて当該接続された周辺機器に必要な各種設定項目の一覧をモニタに掲示した後、当該各種設定項目を任意に変更し、この変更した設定にて当該周辺機器を制御することができるという効果を奏する。
【０１５４】
さらに本第８の実施形態によると、上記各種設定項目の一覧の表示および変更操作を外部のタブレット型端末機器５６により行うことができるので、より利便性に優れるという効果を奏する。
【０１５５】
さらに本第８の実施形態によると、上記各種設定項目の一覧を掲示する操作パネル７３がタッチパネル機能を有することから、第１〜第５の実施形態においてはキーボード５５等における外部ポインティングデバイスにより操作していた、設定項目の変更操作および前記確定ボタン６１もしくは前記一括推奨設定変更ボタン６２に係る操作を、当該操作パネル７３上のタッチ操作で実施することができるという効果を奏する。
【０１５６】
本発明は、上述した実施形態に限定されるものではなく、本発明の要旨を変えない範囲において、種々の変更、改変等が可能である。
【符号の説明】
【０１５７】
１…内視鏡システム
２…内視鏡
３…ビデオプロセッサ
４…光源装置
５…モニタ
３１…制御部
３２…画像処理部
３５…画像合成部
３６…記憶部
３８…フロントパネル
４１，４２，４３…周辺機器制御部
４１ａ，４２ａ，４３ａ…周辺機器接続端子
４４…ネットワーク制御部
５１…周辺機器（ＶＴＲ）
５２…周辺機器（プリンタ）
５３…周辺機器（磁気カード）
５４…ネットワーク機器
５５…キーボード
【図１】
0006305907.tif 000002
【図２】
0006305907.tif 000003
【図３】
0006305907.tif 000004
【図４】
0006305907.tif 000005
【図５】
0006305907.tif 000006
【図６】
0006305907.tif 000007
【図７】
0006305907.tif 000008
【図８】
0006305907.tif 000009
【図９】
0006305907.tif 000010
【図１０】
0006305907.tif 000011
【図１１】
0006305907.tif 000012